(57)【要約】【課題】運転者の集中力が低下した時に運転者に覚醒を促す車両制御装置を提供する。【解決手段】運転者の集中力が低下した時に運転者に覚醒を促す車両制御装置１００であって、運転者の状態を監視する監視部１０１と、監視部１０１で監視された運転者の状態を基に運転者の集中力が低下したか否かを判定する判定部１０２と、判定部１０２で運転者の集中力が低下したと判定された時に車窓を開く制御部１０３と、を備え、制御部１０３は、車速、車内温度、車外温度、及び運転履歴の何れか一つ以上のパラメータを基に車窓の開度を調整する車両制御装置１００によって課題を解決する事が出来る。【選択図】図１
2020149319.tif 000002
【特許請求の範囲】
【請求項１】
運転者の集中力が低下した時に運転者に覚醒を促す車両制御装置であって、
運転者の状態を監視する監視部と、
前記監視部で監視された運転者の状態を基に運転者の集中力が低下したか否かを判定する判定部と、
前記判定部で運転者の集中力が低下したと判定された時に車窓を開く制御部と、
を備え、
前記制御部は、車速、車内温度、車外温度、及び運転履歴の何れか一つ以上のパラメータを基に車窓の開度を調整する
事を特徴とする車両制御装置。
【請求項２】
前記判定部は、前記監視部で監視された運転者の状態を基に運転者の集中力の低下度合いを判定し、
前記制御部は、前記判定部で判定された運転者の集中力の低下度合いを基に車窓の開度を調整する
請求項１に記載の車両制御装置。
【請求項３】
前記制御部は、運転者の集中力の低下度合いが高い程、車窓の開度を大きくする
請求項２に記載の車両制御装置。
【請求項４】
前記制御部は、前記判定部で運転者の集中力が低下したと判定された時に複数の車窓を開く
請求項１乃至３の何れか一項に記載の車両制御装置。
【請求項５】
前記制御部は、車速が遅い程、車窓の開度を大きくする
請求項１乃至４の何れか一項に記載の車両制御装置。
【請求項６】
前記制御部は、車内温度と車外温度との差が小さい程、車窓の開度を大きくする
請求項１乃至５の何れか一項に記載の車両制御装置。
【請求項７】
前記制御部は、運転履歴を基に運転者の睡眠時間帯を推定し、現在時刻が運転者の睡眠時間帯に近い程、車窓の開度を大きくする
請求項１乃至６の何れか一項に記載の車両制御装置。
【発明の詳細な説明】
【技術分野】
【０００１】
運転者の集中力が低下した時に運転者に覚醒を促す車両制御装置に関する。
【背景技術】
【０００２】
カメラ等で運転者の状態を監視し、脇見運転や居眠り運転を検出した時に運転者に注意を促す技術（ＤＭＳ；Driver Monitoring System）が有る。
【先行技術文献】
【特許文献】
【０００３】
【特許文献１】特開２００５−６２９１１号公報
【特許文献２】特開２００２−１１４０５４号公報
【発明の概要】
【発明が解決しようとする課題】
【０００４】
然し乍ら、運転者の集中力が低下した時（脇見運転や居眠り運転を検出した時）は、運転者に注意を促すだけでなく、運転者に覚醒を促す事が望ましい。
【０００５】
以上の事情に鑑み、運転者の集中力が低下した時に運転者に覚醒を促す車両制御装置を提供する事を目的とする。
【課題を解決するための手段】
【０００６】
運転者の集中力が低下した時に運転者に覚醒を促す車両制御装置であって、運転者の状態を監視する監視部と、前記監視部で監視された運転者の状態を基に運転者の集中力が低下したか否かを判定する判定部と、前記判定部で運転者の集中力が低下したと判定された時に車窓を開く制御部と、を備え、前記制御部は、車速、車内温度、車外温度、及び運転履歴の何れか一つ以上のパラメータを基に車窓の開度を調整する車両制御装置を提供する。
【０００７】
前記判定部は、前記監視部で監視された運転者の状態を基に運転者の集中力の低下度合いを判定し、前記制御部は、前記判定部で判定された運転者の集中力の低下度合いを基に車窓の開度を調整する事が望ましい。
【０００８】
前記制御部は、運転者の集中力の低下度合いが高い程、車窓の開度を大きくする事が望ましい。
【０００９】
前記制御部は、前記判定部で運転者の集中力が低下したと判定された時に複数の車窓を開く事が望ましい。
【００１０】
前記制御部は、車速が遅い程、車窓の開度を大きくする事が望ましい。
【００１１】
前記制御部は、車内温度と車外温度との差が小さい程、車窓の開度を大きくする事が望ましい。
【００１２】
前記制御部は、運転履歴を基に運転者の睡眠時間帯を推定し、現在時刻が運転者の睡眠時間帯に近い程、車窓の開度を大きくする事が望ましい。
【発明の効果】
【００１３】
運転者の集中力が低下した時に運転者に覚醒を促す事が出来る。
【図面の簡単な説明】
【００１４】
【図１】実施の形態に係る車両制御装置の構成を説明する図である。
【図２】実施の形態に係る車両制御装置の動作を説明する図である。
【発明を実施するための形態】
【００１５】
以下、実施の形態を添付図面に順って説明する。
【００１６】
図１に示す様に、車両制御装置１００は、運転者の集中力が低下した時に運転者に覚醒を促すものであって、運転者の状態を監視する監視部１０１と、監視部１０１で監視された運転者の状態を基に運転者の集中力が低下したか否かを判定する判定部１０２と、判定部１０２で運転者の集中力が低下したと判定された時に車窓（所謂、パワーウィンドウ）を開く制御部１０３と、を備える。また、車両制御装置１００は、例えば、電子制御装置で実現される。
【００１７】
監視部１０１は、例えば、運転者の視線の向き、運転者の瞼の動き、及び車両の挙動を監視する事で運転者の状態を監視する事が出来る。運転者の視線の向きと運転者の瞼の動きは、カメラで撮影された映像を通じて監視する事が出来る。車両の挙動は、操舵角センサで検出された操舵角や車速センサで検出された車速を通じて監視する事が出来る。
【００１８】
判定部１０２は、例えば、運転者の視線の向きが不自然な時、運転者の瞼の動きが不自然な時、及び車両の挙動が不自然な時に運転者の集中力が低下したと判定する事が出来る。運転者の視線の向きが不自然な時とは、例えば、運転者の視線の向きが所定時間に亘って車両の進行方向から逸れている時である。また、運転者の瞼の動きが不自然な時とは、例えば、運転者の瞼が所定時間に亘って閉じている時である。更に、車両の挙動が不自然な時とは、例えば、操舵角のふらつきや車速のばらつきが所定値以上に大きい時である。
【００１９】
また、判定部１０２は、監視部１０１で監視された運転者の状態を基に運転者の集中力の低下度合いを判定する。例えば、運転者の視線の向きが車両の進行方向から逸れている時間が長い程、運転者の瞼が閉じている時間が長い程、及び操舵角のふらつきや車速のばらつきが大きい程、運転者の集中力の低下度合いが大きいと判定する事が出来る。
【００２０】
尚、判定部１０２が運転者の集中力が低下したと判定する基準や運転者の集中力の低下度合いを判定する基準は、実験的及び経験的に決定される。
【００２１】
制御部１０３は、運転者の集中力の低下度合いが高い程、車窓の開度を大きくする。車窓の開度を大きくするに従って車内に入り込む外気や環境音も増加する為、車窓の開度を大きくする程、運転者に覚醒を強く促す事が出来る。
【００２２】
また、制御部１０３は、判定部１０２で運転者の集中力が低下したと判定された時に複数の車窓を開く。複数の車窓を開く事で車内の換気を促進する事が出来る為、運転者に覚醒を強く促す事が出来る。例えば、運転席側の車窓に加え助手席側や後席側の車窓を開く事で外気の通り道を意図的に作り出す事が出来る。
【００２３】
更に、制御部１０３は、車速、車内温度、車外温度、及び運転履歴の何れか一つ以上のパラメータを基に車窓の開度を調整する。
【００２４】
例えば、制御部１０３は、車速が遅い程、車窓の開度を大きくする。車速が遅いと、外気が車内に入り込み難いが、車窓の開度を大きくする事で車内に入り込む外気を増加させる事が出来る為、運転者に覚醒を効果的に促す事が出来る。
【００２５】
また、制御部１０３は、車内温度と車外温度との差が小さい程、車窓の開度を大きくする。車内温度と車外温度との差が小さいと、運転者が外気を感じ取り難いが、車窓の開度を大きくする事で車内に入り込む外気を増加させる事が出来ると共に運転者が外気を感じ取り易く成る為、運転者に覚醒を効果的に促す事が出来る。車内温度は、車内に設置された温度センサで検出する事が出来る。車外温度は、車外に設置された温度センサで検出する事が出来る。
【００２６】
更に、制御部１０３は、運転履歴を基に運転者の睡眠時間帯を推定し、現在時刻が運転者の睡眠時間帯に近い程、車窓の開度を大きくする。現在時刻が運転者の睡眠時間帯に近いと、運転者が強い眠気を催している可能性が高い為、車窓の開度を大きくする事で車内に入り込む外気を増加させると共に運転者に覚醒を強く促す。運転履歴は、例えば、エンジンのオンオフが記録されたものである。運転者の睡眠時間帯は、例えば、エンジンのオンオフが記録された運転履歴を基に運転者の生活リズムを推定し、生活リズムを基に推定する事が出来る。一般的に夜は強い眠気を催し易い為、昼間よりも夜間の場合に車窓の開度を大きくしても良い。
【００２７】
図２に示す様に、車両制御装置１００では、ステップＳ１０１で、判定部１０２が、監視部１０１で監視された運転者の状態を基に運転者の集中力が低下したか否かを判定する。具体的に言えば、判定部１０２は、例えば、運転者の視線の向きが不自然な時、運転者の瞼の動きが不自然な時、及び車両の挙動が不自然な時に運転者の集中力が低下したと判定する。
【００２８】
判定部１０２で運転者の集中力が低下したと判定されなかった場合は、ステップＳ１０１に戻り、運転者の集中力が低下したと判定された場合は、ステップＳ１０２に進む。
【００２９】
ステップＳ１０２では、判定部１０２が運転者の集中力の低下度合いを判定する。具体的に言えば、判定部１０２は、例えば、運転者の視線の向きが車両の進行方向から逸れている時間が長い程、運転者の瞼が閉じている時間が長い程、及び操舵角や車速のふらつきが大きい程、運転者の集中力の低下度合いが大きいと判定する。
【００３０】
次のステップＳ１０３では、制御部１０３が、判定部１０２で判定された運転者の集中力の低下度合いを基に少なくとも一つの車窓の開度を開く。具体的に言えば、制御部１０３は、運転者の集中力の低下度合いが高い程、車窓の開度を大きくする。
【００３１】
尚、ステップＳ１０３では、判定部１０２で判定された運転者の集中力の低下度合いに加え又は代え、車速、車内温度、車外温度、及び運転履歴の何れか一つ以上のパラメータを基に車窓の開度を調整する事も出来る。
【００３２】
以上に説明した様に、車両制御装置１００によれば、運転者の集中力が低下した時に運転者に覚醒を促す事が出来る。
【符号の説明】
【００３３】
１００  車両制御装置
１０１  監視部
１０２  判定部
１０３  制御部
【図１】
2020149319.tif 000003
【図２】
2020149319.tif 000004